(57)【要約】【課題】  軸筒の外周面にインクが付着するのを阻む。【解決手段】  被嵌部材と、該被嵌部材に対し抜差しされる筆記具本体１とを備え、筆記具本体１の軸筒１０内に貯溜した筆記用インクを軸筒１０前端側の筆記部３０から吐出するようにした筆記具であって、前記被嵌部材には、筆記具本体１の前端側に環状に嵌り合う筆記部導入筒部５２ｃが設けられ、筆記具本体１の外周面において筆記部導入筒部５２ｃに内在する位置には、筆記部導入筒部５２ｃの内周面から離れるようにして凹む環状凹部１１ｃが設けられている。【選択図】  図２
2022002878.tif 000002
【特許請求の範囲】
【請求項１】
被嵌部材と、該被嵌部材に対し抜差しされる筆記具本体とを備え、前記筆記具本体の軸筒内に貯溜した筆記用インクを軸筒前端側の筆記部から吐出するようにした筆記具であって、
前記被嵌部材には、前記筆記具本体の前端側に環状に嵌り合う筆記部導入筒部が設けられ、
前記筆記具本体の外周面において前記筆記部導入筒部に内在する位置には、前記筆記部導入筒部の内周面から離れるようにして凹む環状凹部が設けられていることを特徴とする筆記具。
【請求項２】
前記環状凹部が、縦断面凹曲面状に形成されていることを特徴とする請求項１記載の筆記具。
【請求項３】
前記被嵌部材が、内在する補給用インクを前記筆記部導入筒部に挿入される前記筆記部へ供給するインク補給具であることを特徴とする請求項１又は２記載の筆記具。
【請求項４】
前記被嵌部材が、前記筆記具本体の前端側を覆うキャップであることを特徴とする請求項１又は２記載の筆記具。
【発明の詳細な説明】
【技術分野】
【０００１】
本発明は、軸筒内に貯溜した筆記用インクを軸筒前端側の筆記部から吐出するようにした筆記具に関するものである。
【背景技術】
【０００２】
従来、この種の筆記具には、軸筒内の筆記用インクを消費してしまった場合に、筆記具本体の前端側をインク補給具（被嵌部材）へ差し込めば、インク補給具から筆記具本体内へインクが補給されるようにしたものがある。
前記インク補給具は、例えば特許文献１に記載されるように、補給用インクを収容する容器と、この容器の一部に形成されたマーキングペン挿入口と、この挿入口から容器内へ延びる筒状の嵌合部及び保持筒と、保持筒の底側に挿入されたインク吸収体とを備え、前記挿入口から挿入されたマーキングペンのペン先に、前記インク吸収体を接触させてインクを補給するようにしている。
【先行技術文献】
【特許文献】
【０００３】
【特許文献１】特開平０９−０５２４９０公報
【発明の概要】
【発明が解決しようとする課題】
【０００４】
ところで、上記従来技術によれば、マーキングペン（筆記具本体）を保持筒に差し込む際に、このマーキングペンのペン先が筒状の嵌合部の内周面に触れて該内周面にインクが付着し、このインクがマーキングペンの軸筒の前端側に転移し、さらに、このインクが把持した手を汚してしまう場合がある。
【課題を解決するための手段】
【０００５】
このような課題に鑑みて、本発明は、以下の構成を具備するものである。
被嵌部材と、該被嵌部材に対し抜差しされる筆記具本体とを備え、前記筆記具本体の軸筒内に貯溜した筆記用インクを軸筒前端側の筆記部から吐出するようにした筆記具であって、前記被嵌部材には、前記筆記具本体の前端側に環状に嵌り合う筆記部導入筒部が設けられ、前記筆記具本体の外周面において前記筆記部導入筒部に内在する位置には、前記筆記部導入筒部の内周面から離れるようにして凹む環状凹部が設けられていることを特徴とする筆記具。
【発明の効果】
【０００６】
本発明は、以上説明したように構成されているので、軸筒の外周面にインクが付着するのを阻むことができる。
【図面の簡単な説明】
【０００７】
【図１】本発明に係る筆記具の一例を示す斜視図であり、（ａ）は筆記具本体がインク補給具に装着された状態、（ｂ）は筆記具本体がインク補給具に装着される前の状態を示す。
【図２】本発明に係る筆記具において係脱操作部を省いた態様を示す全断面図である。
【図３】本発明に係る筆記具の他例を示す全断面図である。
【発明を実施するための形態】
【０００８】
本実施の形態では、以下の特徴を開示している。
第１の特徴は、被嵌部材と、該被嵌部材に対し抜差しされる筆記具本体とを備え、前記筆記具本体の軸筒内に貯溜した筆記用インクを軸筒前端側の筆記部から吐出するようにした筆記具であって、前記被嵌部材には、前記筆記具本体の前端側に環状に嵌り合う筆記部導入筒部が設けられ、前記筆記具本体の外周面において前記筆記部導入筒部に内在する位置には、前記筆記部導入筒部の内周面から離れるようにして凹む環状凹部が設けられている（図１〜図３参照）。
【０００９】
第２の特徴は、前記環状凹部を、縦断面凹曲面状に形成した（図１〜図３参照）。
【００１０】
第３の特徴は、前記被嵌部材が、内在する補給用インクを前記筆記部導入筒部に挿入される前記筆記部へ供給するインク補給具である（図１及び図２参照）。
【００１１】
第４の特徴は、前記被嵌部材が、前記筆記具本体の前端側を覆うキャップである（図３参照）。
【００１２】
＜第１の実施態様＞
次に、上記特徴を有する具体的な実施態様について、図面に基づいて詳細に説明する。
図１は、本発明に係る筆記具の一例を示す。
この筆記具Ａは、被嵌部材としてのインク補給具２と、このインク補給具２に対し抜差しされる筆記具本体１とを備え、筆記具本体１の軸筒１０内に貯溜した筆記用インクを軸筒１０前端側の筆記部３０から吐出する。
【００１３】
筆記具本体１は、インク補給具２の筆記部導入筒部５２ｃに抜差し可能な軸筒１０と、この軸筒１０内に収納された中芯２０と、軸筒１０の前端側に支持されて筆記用インクを吐出する筆記部３０とを備え、例えば、サインペンやマーカーペン等を構成する。
【００１４】
なお、図１中、符号４０は、撓み片部４３を撓ませる操作により軸筒１０と筆記部導入筒部５２ｃとの嵌合状態を解除する係脱操作部４０である。この係脱操作部４０は省くことも可能であり、図２は、係脱操作部４０を省いた態様を示す。
【００１５】
軸筒１０は、前軸１１と、この前軸１１の後端側に接続された有底筒状の後軸１２とを一体的に具備し、筆記部導入筒部５２ｃに挿入され嵌合するように形成される（図２参照）。
この軸筒１０の他例とは、単一の筒状部材からなる態様や、筒状部材の後端に着脱可能な尾栓を有する態様、三以上の筒状部材からなる態様等とすることが可能である。
【００１６】
前軸１１は、前後端部を開口した筒状に形成される。この前軸１１の前端側の内周面には、径内方向へ突出して筆記部３０を支持する筆記部支持部１１ａが設けられる。
前軸１１の外周面には、インク補給具２との当接により筆記具本体１の前方への移動を規制する規制段部１１ｂが設けられる。
【００１７】
また、前軸１１の外周面の規制段部１１ｂよりも前側であって、後述する筆記部導入筒部５２ｃに内在する位置には、筆記部導入筒部５２ｃの内周面から離れるようにして軸筒径方向内側へ凹む環状凹部１１ｃが設けられている。
そして、前軸１１の外周面の環状凹部１１ｃよりも下側には、筆記部導入筒部５２ｃ内の係脱突起５２ｃ２１を下方へ乗り越え嵌合するように、環状の乗越え嵌合突起１１ｄが設けられる。
【００１８】
環状凹部１１ｃは、軸筒１０の全周にわたって縦断面凹曲面状に形成される。
この環状凹部１１ｃの外周面と、後述する筆記部導入筒部５２ｃの内周面との間には、隙間ｓが確保される。
【００１９】
中芯２０は、多数の合成繊維を合成樹脂製の薄肉な筒体内に収納し、その内部に筆記用インクを含浸したものであり、中綿と呼称される場合もある。
この中芯２０は、前記合成繊維を有さずにインクを貯溜するタンク状の態様とすることも可能である。また、中芯２０を省き、軸筒１０内に直接インクを貯溜する態様とすることも可能である。
【００２０】
筆記部３０は、その後端部が中芯２０の前端部に圧入され、中芯２０の合成繊維に含浸された筆記用インクを毛細管力によって前方へ導く。この筆記部３０は、連続気孔を有する多孔質樹脂を砲弾状に形成してなり、インク補給具２内で第二のインク誘導体７０に接する。この筆記部３０の他例としては、多数の合成繊維を略軸状に収束してなる態様や、下端部を斜めカットした楔状の態様等とすることも可能である。
【００２１】
インク補給具２は、筆記具本体１に対し嵌脱可能に被せられる被嵌部材である。
このインク補給具２は、筆記部導入筒部５２ｃを有するインク容器５０と、第一及び第二のインク誘導体６０，７０と、インク容器５０内に貯溜した補給用インクとから構成され、インク容器５０の筆記部導入筒部５２ｃに挿入される筆記部３０に対し、第二のインク誘導体７０を接触させて、前記補給用インクを補給する。
【００２２】
インク容器５０は、開口部を一端側（図２によれば上端側）に有する有底筒状のメス側筒状部材５１と、開口部を逆端側（下端側）に有する有底筒状のオス側筒状部材５２とを備える。このインク容器５０は、メス側筒状部材５１の開口部側に、オス側筒状部材５２の開口部側を挿入し螺合し、オス側筒状部材５２をメス側筒状部材５１の上側に配置している。オス側筒状部材５２には、筆記具本体１を挿入するための挿入口５２ａ１が設けられ、メス側筒状部材５１には、第二のインク誘導体７０よりも下側に、インクが貯溜される。
【００２３】
メス側筒状部材５１は、上方を開口した周壁５１ｂの下端側を底壁部５１ａにより塞いだ有底筒状に形成される。
【００２４】
なお、図２中、符号５１ｃは、第一のインク誘導体６０を支持する支持部、符号５１ｂ１は、インク表面位置の目安となる複数の縦リブである。
【００２５】
オス側筒状部材５２は、下方を開口した円筒状の周壁５２ｂと、この周壁５２ｂの上端部を覆う上底部５２ａと、上底部５２ａの中央側から下方へ延設されその下端部をインク表面よりも上方側で第二のインク誘導体７０の上面に接する筆記部導入筒部５２ｃとを一体に具備している。
【００２６】
上底部５２ａは、略円盤状に形成され、その周縁部を、周壁５２ｂの上端に接続している。この上底部５２ａの中心側には、下方へ突出するように筆記部導入筒部５２ｃが設けられる。
【００２７】
筆記部導入筒部５２ｃは、筆記具本体１の前端側に環状に嵌り合うように、内部空間を上下方向へ連続させた略円筒状に形成される。
この筆記部導入筒部５２ｃは、インク容器５０の中心線上に位置し、その上端を上底部５２ａに接続して開口するとともに、その下端の開口部を、第二のインク誘導体７０に接する（図２参照）。
より詳細に説明すれば、筆記部導入筒部５２ｃは、軸筒１０の規制段部１１ｂを受ける略すり鉢状の凹状筒部５２ｃ１と、この凹状筒部５２ｃ１の中心側から下方へ延設された円筒部５２ｃ２と、この円筒部５２ｃ２に対し縮径され下方へ延設された縮径筒部５２ｃ３とを一体に有する。
【００２８】
円筒部５２ｃ２は、軸筒１０の環状凹部１１ｃ及び乗越え嵌合突起１１ｄを覆う範囲に設けられる。この円筒部５２ｃ２と環状凹部１１ｃの間には、上下方向へわたる略円筒状の隙間ｓが確保される。
【００２９】
また、第一のインク誘導体６０は、メス側筒状部材５１内の底部側にて、水平方向に間隔を置いて複数（図示例によれば二つ）鉛直状に設けられる。
各第一のインク誘導体６０は、多数の連続気孔を有する多孔質樹脂から円柱状に形成され、下端側をインク内に没入するとともに上端側をインク表面よりも上方へ突出して、第二のインク誘導体７０に圧接している。
【００３０】
第二のインク誘導体７０は、多数の繊維を板状（図示例によれば矩形板状）に収束してなる繊維収束体であり、インク表面よりも上方側で、第一のインク誘導体６０に対し上方側から接するとともに筆記部導入筒部５２ｃに挿入される筆記部３０の下端側に接する。そして、この第二のインク誘導体７０は、毛細管力によって第一のインク誘導体６０から吸入するインクを筆記部３０に補給する。
この第二のインク誘導体７０の中心部には、筆記部導入筒部５２ｃ内と、第二のインク誘導体７０よりも下側であってインク表面よりも上側の空間とを連通するように、上下方向へ貫通する円形状の通気孔７１が設けられる。
【００３１】
よって、上記構成の筆記具Ａによれば、筆記具本体１をインク補給具２（被嵌部材）に差し込んだ状態において、筆記具本体１の前端側の外周面と、インク補給具２の筆記部導入筒部５２ｃとの間に上下方向にわたる略筒状の隙間ｓが確保される。
このため、例えば、筆記具本体１をインク補給具２に差し込む際に、筆記部３０が筆記部導入筒部５２ｃに触れて、筆記部導入筒部５２ｃがインクで汚れたとしても、このインクが、筆記具本体１の前端側外周面に付着するのを阻むことができ、さらには、筆記具本体１の前端側を握った手が汚れてしまうようなことを防ぐことができる。
【００３２】
＜第２の実施態様＞
本発明に係る他の実施態様について説明する。以下に示す実施態様は、上記筆記具Ａの一部を変更したものであるため、主にその変更部分について詳述し、同一箇所については同一の符号を付けて詳細説明を省略する。
【００３３】
図３に示す筆記具Ｂは、上記筆記具Ａについて、インク補給具２を、被嵌部材としてのキャップ３に置換したものである。
【００３４】
キャップ３は、筆記具本体１の前端側を覆う有底筒状の筆記部導入筒部３ａと、この筆記部導入筒部３ａの底部（前端壁）から後方へ突出した気密筒部３ｂと、筆記部導入筒部３ａの外周面に接続されたクリップ部３ｃとを一体に具備している。
【００３５】
筆記部導入筒部３ａは、筆記具本体１の規制段部１１ｂよりも前側の部分（詳細には環状凹部１１ｃ及び乗越え嵌合突起１１ｄ等）を覆う有底円筒状に形成される。
この筆記部導入筒部３ａの内周面には、軸筒１０側の乗越え嵌合突起１１ｄに係脱する係脱突起３ａ１が設けられる。
【００３６】
気密筒部３ｂは、筆記部導入筒部３ａ内にて筆記具本体１の乗越え嵌合突起１１ｄよりも前側の部分を覆う円筒状に形成され、前軸１１の前端側部分に対し全周にわたって気密に嵌り合う。
【００３７】
よって、上記構成の筆記具Ｂによれば、筆記具本体１をキャップ３（被嵌部材）に差し込んだ状態において、筆記具本体１の前端側の外周面と、キャップ３の筆記部導入筒部３ａとの間に上下方向にわたる略筒状の隙間ｓが確保される。
このため、例えば、筆記具本体１にキャップ３を装着する際に、筆記部３０が筆記部導入筒部３ａ内周面に触れて、筆記部導入筒部３ａ内周面にインクが付着したとしても、このインクが、筆記具本体１の前端側外周面に転移するのを阻むことができ、さらには、筆記具本体１の前端側を握った手が汚れてしまうようなことを防ぐことができる。
【００３８】
なお、上記実施態様によれば、特に好ましい一例として、環状凹部１１ｃを縦断面凹曲面状に形成したが、他例としては、この環状凹部を縦断面段付き凹状にしたり、図示例以外の凹形状にしたりすることが可能である。
【００３９】
また、本発明は上述した実施態様に限定されず、本発明の要旨を変更しない範囲で適宜変更可能である。
【符号の説明】
【００４０】
１：筆記具本体
２：インク補給具（被嵌部材）
３：キャップ（被嵌部材）
１０：軸筒
１１：前軸
１１ｃ：環状凹部
１２：後軸
３０：筆記部
５２ｃ，３ａ：筆記部導入筒部
【図１】
2022002878.tif 000003
【図２】
2022002878.tif 000004
【図３】
2022002878.tif 000005